(57)【要約】  エレベータのかご救出装置は、回動カバー、救出用梯子及び着脱装置を有している。回動カバーは、かご室の天井壁に設けられた救出口に対向する対向位置と、対向位置の下方に位置し、救出口をかご室内に開放する開放位置との間で回動可能になっている。救出用梯子は、回動カバーと天井壁との間に配置され、回動カバーと別体となっている。着脱装置は、救出用梯子を回動カバーに着脱するようになっている。救出用梯子は、着脱装置により回動カバーに取り付けられているときに、回動カバーとともに回動される。
2007091292.tif 000002
【特許請求の範囲】
【請求項１】
かご室の天井壁に設けられた救出口の下方に配置され、上記救出口に対向する対向位置と、上記対向位置よりも下方に位置し、上記救出口を上記かご室内に開放する開放位置との間で回動可能な回動カバー、
上記回動カバーと別体とされ、上記回動カバーと上記天井壁との間に配置されているとともに、上記天井壁に回動可能に支持された救出用梯子、及び
上記救出用梯子を上記回動カバーに対して着脱するための着脱装置
を備え、
上記救出用梯子は、上記着脱装置によって上記回動カバーに取り付けられているときに、上記回動カバーとともに回動されるようになっていることを特徴とするエレベータのかご救出装置。
【請求項２】
上記救出用梯子の回動軸は、上記かご室に対して水平方向へ移動可能になっていることを特徴とする請求項１に記載のエレベータのかご救出装置。
【請求項３】
上記救出用梯子は、上記天井壁に対して取り外し可能になっていることを特徴とする請求項１に記載のエレベータのかご救出装置。
【請求項４】
上記救出用梯子は、伸縮可能になっていることを特徴とする請求項１に記載のエレベータのかご救出装置。
【請求項５】
上記回動カバーは、照明器具からの光を上記かご室内へ通す照明カバーであることを特徴とする請求項１に記載のエレベータのかご救出装置。
【発明の詳細な説明】
【技術分野】
【０００１】
この発明は、かご室の天井壁に設けられた救出口から、かご室内の乗客を救出するためのエレベータのかご救出装置に関するものである。
【背景技術】
【０００２】
従来、かごの天井に設けられた照明カバーに足かけフックを取り付け、この照明カバーをかごの天井から回転させてかご内へ下ろすことができるようにしたエレベータの乗かごが提案されている。足かけフックは、照明カバーの一方の面に所定の間隔で固定されている。かご内の乗客は、足かけフックを登ることにより、かごの天井に設けられた救出口から、かご上へ脱出することができる（特許文献１参照）。【０００３】
また、従来、かごの天井に設けられた救出口に折りたたみ式の梯子を収納する扉体を設けたエレベータの救出装置も提案されている。折りたたみ式の梯子は、かごの上からの操作により、救出口からかご内へ垂下するようになっている（特許文献２参照）。【０００４】
【特許文献１】実開平７−９８７６号公報
【特許文献２】特開２００１−１７１９３２号公報
【発明の開示】
【発明が解決しようとする課題】
【０００５】
しかし、特許文献１に示されたエレベータの乗かごでは、乗客が登るための足かけフックが照明カバーに固定されているので、照明カバーの強度を大きくしなければならず、かご内の意匠上の制約が大きくなってしまう。【０００６】
また、特許文献２に示されたエレベータの救出装置では、折りたたみ式の梯子がかごの上に設けられているので、かご全体の上下方向についての寸法が大きくなってしまう。また、梯子を救出口からかご内へ下ろすための機構も複雑になり、コストが上昇したり、乗客の救出作業に手間がかかったりしてしまう。【０００７】
この発明は、上記のような課題を解決するためになされたものであり、構造の複雑化の防止を図ることができるとともに、かご室内の意匠性低下の防止も図ることができるエレベータのかご救出装置を得ることを目的とする。
【課題を解決するための手段】
【０００８】
この発明によるエレベータのかご救出装置は、かご室の天井壁に設けられた救出口の下方に配置され、救出口に対向する対向位置と、対向位置よりも下方に位置し、救出口をかご室内に開放する開放位置との間で回動可能な回動カバー、回動カバーと別体とされ、回動カバーと天井壁との間に配置されているとともに、天井壁に回動可能に支持された救出用梯子、及び救出用梯子を回動カバーに対して着脱するための着脱装置を備え、救出用梯子は、着脱装置によって回動カバーに取り付けられているときに、回動カバーとともに回動されるようになっている。
【図面の簡単な説明】
【０００９】
【図１】この発明の実施の形態１によるエレベータのかご救出装置を示す斜視図である。
【図２】図１のエレベータのかご救出装置が操作されているときの状態を示す斜視図である。
【図３】図１のエレベータのかご救出装置をかご室内から見たときの平面図である。
【図４】図３のIV-IV線に沿った断面図である。
【図５】図３のV-V線に沿った断面図である。
【図６】図５の中央照明カバーが開放位置にあるときのエレベータのかご救出装置を示す断面図である。
【図７】図３の保持装置を示す拡大図である。
【図８】図７のVIII-VIII線に沿った断面図である。
【図９】図７の保持装置が中央照明カバーの保持を解除したときの状態を示す拡大図である。
【図１０】図９のX-X線に沿った断面図である。
【図１１】図６の救出用梯子が中央照明カバーから取り外されて救出用梯子が伸ばされたときのエレベータのかご救出装置を示す一部断面図である。
【図１２】図１１のエレベータのかご救出装置を示す斜視図である。
【図１３】この発明の実施の形態２によるエレベータのかご救出装置を示す断面図である。
【図１４】図１３の救出用梯子を天井壁から取り外したときの状態を示す断面図である。
【発明を実施するための最良の形態】
【００１０】
以下、この発明の好適な実施の形態について図面を参照して説明する。
実施の形態１．
図１は、この発明の実施の形態１によるエレベータのかご救出装置を示す斜視図である。また、図２は、図１のエレベータのかご救出装置が操作されているときの状態を示す斜視図である。図において、昇降路には、かご室１を有するかごが昇降可能に設けられている。かご室１は、かご床（図示せず）と、かご床の上方に配置されたかご天井２と、かご床とかご天井２との各縁部間に設けられた側壁３とを有している。【００１１】
かご天井２は、天井壁４と、天井壁４の下面の周縁部に設けられた天井枠５とを有している。天井壁４には、非常時にかご室１内からかご室１外へ乗客を救出するための救出口６が設けられている。天井枠５には、救出口６の下方に配置された中央照明カバー（回動カバー）７と、中央照明カバー７の両側に配置された一対の側部照明カバー８とが取り付けられている。【００１２】
中央照明カバー７は、救出口６に対向する対向位置（図１）と、対向位置よりも下方に位置し、救出口６をかご室１内へ開放する開放位置（図２）との間で回動可能になっている。各側部照明カバー８は、天井壁４に対向しており、天井枠５に対して着脱可能になっている。【００１３】
各側部照明カバー８と天井壁４との間には、かご室１内を照らすための複数の照明器具９が配置されている。各照明器具９は、天井壁４に支持されている。各照明器具９からの光は、中央照明カバー７及び各側部照明カバー８を通してかご室１内に照射される。【００１４】
中央照明カバー７と天井壁４との間には、中央照明カバー７と別体の救出用梯子１０が配置されている。救出用梯子１０は、伸縮可能になっている。この例では、救出用梯子１０は、複数の分割梯子が互いにスライド可能に組み合わされることにより構成されている。救出用梯子１０は、各分割梯子が互いにスライドされることにより伸縮される。また、救出用梯子１０は、天井壁４に回動可能に支持されている。【００１５】
救出用梯子１０の回動端部（自由端部）と中央照明カバー７との間には、救出用梯子１０を中央照明カバー７に着脱するための着脱装置１１が設けられている（図２）。救出用梯子１０の回動端部が中央照明カバー７に着脱装置１１によって取り付けられているときには、救出用梯子１０は、縮められたまま中央照明カバー７とともに回動されるようになっている。【００１６】
図３は、図１のエレベータのかご救出装置をかご室内から見たときの平面図である。また、図４は、図３のIV-IV線に沿った断面図である。図において、天井壁４は、救出口６が設けられた天井壁中央パネル１２と、天井壁中央パネル１２の両側部にそれぞれ連結された一対の天井壁側部パネル１３とを有している。天井壁中央パネル１２には、救出口６を開閉するための天蓋３５が設けられている。中央照明カバー７は天井壁中央パネル１２の下方に配置され、各側部照明カバー８は各天井壁側部パネル１３の下方に配置されている。また、各照明器具９は、各天井壁側部パネル１３に設けられている。【００１７】
天井壁中央パネル１２の一端部の下方には、天井枠５の内面から突出する一対の突出部１４間に水平に取り付けられた照明カバー用回動軸１５が配置されている。照明カバー用回動軸１５には、中央照明カバー７の一端部が回動可能に設けられている。これにより、中央照明カバー７は、対向位置（図１）と開放位置（図２）との間を回動される。【００１８】
また、天井枠５の内面及び中央照明カバー７の他端部（回動端部）には、中央照明カバー７を対向位置に保持するための保持装置１６が設けられている。保持装置１６は、中央照明カバー７の他端部側を係止することにより、中央照明カバー７を対向位置に保持するようになっている。また、保持装置１６は、かご室１内からの操作により、中央照明カバー７の対向位置への保持を解除可能になっている。即ち、中央照明カバー７は、保持装置１６により対向位置に保持され、かご室１内からの保持装置１６の操作により、対向位置での保持が解除され、対向位置から開放位置へ回動される。【００１９】
天井壁中央パネル１２と各天井壁側部パネル１３との各連結部には、複数の取付金具１７が固定されている。各取付金具１７は、照明カバー用回動軸１５に垂直な方向へ間隔を置いて配置されている。各側部照明カバー８は、各取付金具１７及び天井枠５により支持されている。【００２０】
また、天井壁中央パネル１２と各天井壁側部パネル１３との各連結部間には、照明カバー用回動軸１５に対して平行に配置された梯子用回動軸１８が取り付けられている。梯子用回動軸１８には、救出用梯子１０の一端部が回動可能に設けられている。これにより、救出用梯子１０及び中央照明カバー７は、同一平面上を回動される。なお、救出用梯子１０は、救出用梯子１０を天井壁４に垂直投影したとき、一部が救出口６に重なるように配置されている。【００２１】
図５は、図３のV-V線に沿った断面図である。また、図６は、図５の中央照明カバー７が開放位置にあるときのエレベータのかご救出装置を示す断面図である。図において、救出用梯子１０の一端部には、梯子用回動軸１８に着脱可能に掛けられる一対の回動フック１９が設けられている。救出用梯子１０は、各回動フック１９が梯子用回動軸１８に掛けられた状態で、梯子用回動軸１８を中心に回動される。このようにして、救出用梯子１０は、梯子用回動軸１８に対して着脱可能になっている。【００２２】
着脱装置１１は、中央照明カバー７に設けられた取付軸２０を中心に回動可能な回動部材２１と、回動部材２１及び救出用梯子１０の各回動端部を互いに繋ぐ繋ぎ体２２とを有している。取付軸２０は、照明カバー用回動軸１５と平行に配置されている。【００２３】
回動部材２１は、互いにスライド可能な複数のスライド部材２３が組み合わされて構成されている。これにより、回動部材２１は、伸縮可能になっている。中央照明カバー７及び救出用梯子１０は互いに異なる回動軸１５，１８を中心にそれぞれ回動されるようになっているので、救出用梯子１０の他端部（回動端部）と取付軸２０との間の距離は、中央照明カバー７が対向位置にあるとき（図５）と、中央照明カバー７が開放位置にあるとき（図６）とで互いに異なる。回動部材２１は、中央照明カバー７及び救出用梯子１０が回動されるときに伸縮することにより、救出用梯子１０の回動端部と取付軸２０との間の距離の変化を吸収するようになっている。【００２４】
救出用梯子１０は、かご室１内での繋ぎ体２２の操作により、回動部材２１から取り外し可能になっている。この例では、繋ぎ体２２はロープとされている。救出用梯子１０は、かご室１内でロープを外すことにより、回動部材２１から取り外される。なお、繋ぎ体２２としては、ロープの他に、例えばワイヤやピン等が挙げられる。繋ぎ体２２をピンとした場合には、救出用梯子１０及び回動部材２１に共通のピンを差し込むことにより、救出用梯子１０と回動部材２１とが互いに繋がれ、ピンを抜くことにより、救出用梯子１０が回動部材２１から取り外される。【００２５】
図７は図３の保持装置１６を示す拡大図であり、図８は図７のVIII-VIII線に沿った断面図である。また、図９は図７の保持装置１６が中央照明カバー７の保持を解除したときの状態を示す拡大図であり、図１０は図９のX-X線に沿った断面図である。図において、保持装置１６は、中央照明カバー７の回動端部に固定されたカバー固定体２４と、カバー固定体２４を係止する係止位置（図７及び図８）とカバー固定体２４の係止を解除する解除位置（図９及び図１０）との間で変位可能な変位体２５と、天井枠５に対して固定され、係止位置と解除位置との間で変位体２５を案内する案内装置２６とを有している。【００２６】
変位体２５は、変位体本体２７と、変位体本体２７から天井枠５の内側へ突出するストッパ２８とを有している。変位体２５が係止位置にあるときには、ストッパ２８のみがカバー固定体２４に係止される。【００２７】
カバー固定体２４には、変位体２５によるカバー固定体２４への係止を解除したときに、ストッパ２８を通すための欠除部２９が設けられている。ストッパ２８は、変位体２５の解除位置への変位により、欠除部２９の下方へ変位される。これにより、変位体２５によるカバー固定体２４の係止は解除される。中央照明カバー７の対向位置から開放位置への回動は、欠除部２９内をストッパ２８が通されることにより可能となる。【００２８】
案内装置２６は、変位体本体２７を水平方向へスライドさせるレール３０と、レール３０内に固定され、変位体本体２７を案内する複数のスタッド３１とを有している。変位体本体２７には、各スタッド３１が通された複数の長穴３２が設けられている。変位体２５は、各長穴３２が各スタッド３１に沿って変位されることにより、係止位置と解除位置との間で変位される。【００２９】
案内装置２６には、変位体２５を係止位置へ付勢するばね（付勢体）３３が設けられている。また、天井枠５と中央照明カバー７との間の隙間Ｑには、ばね３３による付勢に逆らってストッパ２８を変位させるための板状の解除用工具（例えば鋼尺等）３４がかご室１内から挿入されるようになっている。変位体２５は、ばね３３の付勢に逆らって解除用工具３４でストッパ２８を押しながら変位させることにより、係止位置から解除位置へ変位される。【００３０】
図１１は、図６の救出用梯子１０が中央照明カバー７から取り外されて救出用梯子１０が伸ばされたときのエレベータのかご救出装置を示す一部断面図である。また、図１２は、図１１のエレベータのかご救出装置を示す斜視図である。図において、救出用梯子１０は、開放位置にある中央照明カバー７から取り外されているときに、縮められた状態から下方へ伸ばすことができるようになっている。救出用梯子１０は、かご室１内の乗客が救出用梯子１０に容易に登ることができる位置にまで伸ばされるようになっている。【００３１】
次に、かご室１内の乗客を救出口６から救出するときの手順について説明する。まず、例えば鋼尺等の解除用工具３４を天井枠５と中央照明カバー７との間の隙間Ｑに差し込んで、保持装置１６による中央照明カバー７の係止を解除する。これにより、中央照明カバー７が自重で対向位置から開放位置へ回動される。このとき、救出用梯子１０も中央照明カバー７とともに下方へ回動される。【００３２】
この後、繋ぎ体２２であるロープを解き、救出用梯子１０を着脱装置１１から取り外す。この後、救出用梯子１０を下方へ伸ばして、かご室１内の乗客が救出用梯子１０に登ることができる状態にする。この後、天蓋３５をかご室１内から回動させて救出口６を開ける。【００３３】
このようなエレベータのかご救出装置では、中央照明カバー７が対向位置から下方の開放位置へ回動されるときに、救出用梯子１０が中央照明カバー７とともに回動されるようになっているので、救出用梯子１０を救出口６からかご室１内へ下ろすための構造の複雑化を防止することができる。また、かご室１内からの操作のみで救出用梯子１０をかご室１内へ下ろす構造とすることができるので、乗客の救出作業の手間を少なくすることができる。さらに、乗客が救出用梯子１０を登るときの負荷は、中央照明カバー７に与えられることはないので、中央照明カバー７の強化をする必要がなくなる。従って、かご室１内の意匠性低下の防止も図ることができる。【００３４】
また、救出用梯子１０は伸縮可能になっているので、未使用時に、救出用梯子１０をコンパクトにすることができ、使用時に、かご室１内の乗客が登りやすい位置まで救出用梯子１０を伸ばすことができる。【００３５】
また、照明器具９からの光をかご室１内へ通す中央照明カバー７が回動可能になっているので、かご室１内の明るさの低下を防止することができる。【００３６】
実施の形態２．
図１３は、この発明の実施の形態２によるエレベータのかご救出装置を示す断面図である。また、図１４は、図１３の救出用梯子１０を天井壁４から取り外したときの状態を示す断面図である。図において、天井壁中央パネル１２と各天井壁側部パネル１３との各連結部には、互いに対向する一対の溝部４０が水平に設けられている。一方の溝部４０には梯子用回動軸１８の一端部がスライド可能に挿入され、他方の溝部４０には梯子用回動軸１８の他端部がスライド可能に挿入されている。即ち、梯子用回動軸１８は、各溝部４０貫に設けられ、各溝部４０に沿ってスライド可能になっている。また、救出用梯子１０は、梯子用回動軸１８に着脱可能に設けられている。他の構成は実施の形態１と同様である。【００３７】
このようなエレベータのかご救出装置では、梯子用回動軸１８がかご室１に対して水平方向へ移動可能になっているので、乗客の救出時に、救出口６の位置に合わせて救出用梯子１０の位置を調整することができる。従って、例えばかご室１上に設置される機器（例えば空調機やドア駆動装置の制御盤等）の配置等の制約により救出口６の位置がずれている場合であっても、救出用梯子１０の位置を調整することにより、乗客の救出作業を効率良く行うことができる。【００３８】
また、救出用梯子１０が梯子用回動軸１８に対して取り外し可能になっているので、乗客が救出口６からかご室１上へ脱出した後、救出用梯子１０を救出口６からかご室１上に取り出し、取り出した救出用梯子１０を昇降路の外部へ移動するための梯子として使用することができる。従って、かご室１上からの移動手段を建物側で準備する必要がなく、緊急時に柔軟な対応が可能となる。【００３９】
なお、各上記実施の形態では、救出用梯子１０は伸縮可能な構造になっているが、折りたたみ式の構造になっていてもよい。また、救出用梯子１０を伸ばさなくても、かご室１内の乗客が登ることができる位置まで救出用梯子１０を下ろすことができるのであれば、長さが固定された救出用梯子であってもよい。
【図１】
2007091292.tif 000003
【図２】
2007091292.tif 000004
【図３】
2007091292.tif 000005
【図４】
2007091292.tif 000006
【図５】
2007091292.tif 000007
【図６】
2007091292.tif 000008
【図７】
2007091292.tif 000009
【図８】
2007091292.tif 000010
【図９】
2007091292.tif 000011
【図１０】
2007091292.tif 000012
【図１１】
2007091292.tif 000013
【図１２】
2007091292.tif 000014
【図１３】
2007091292.tif 000015
【図１４】
2007091292.tif 000016
【国際調査報告】
2007091292.tif 000017
2007091292.tif 000018
2007091292.tif 000019
2007091292.tif 000020